(57)【要約】【課題】撮像装置内にシャッタ及びその駆動部を内包しても大型化せず、携帯端末に内蔵可能なサイズを保ちつつ高画素数の撮像素子の搭載による高画質の撮像装置及びこれを備えた携帯端末を得る。【解決手段】基板と、撮像素子と、光学部材で構成された撮像装置において、被写体光束を遮蔽するシャッタを備え、シャッタを駆動する駆動部の少なくとも一部を、光学部材の脚部の間に配置する、若しくは、シャッタを駆動する駆動部を、像面に最も近い光学部材以外の光学部材の側面に配置した撮像装置とする。【選択図】        図５
2004309954.tif 000002
【特許請求の範囲】
【請求項１】
基板と、該基板に実装された撮像素子と、該撮像素子の受光面に被写体光束を導き、光軸方向の位置決めのための脚部を有する光学部材で構成される撮像光学系と、を有する撮像装置において、
前記被写体光束を遮光するシャッタを備え
該シャッタを駆動する駆動部の少なくとも一部が、前記光学部材の脚部の間に配置されたことを特徴とする撮像装置。
【請求項２】
基板と、該基板に実装された撮像素子と、該撮像素子の受光面に被写体光束を導く複数の光学部材で構成され、該光学部材のうち少なくとも前記受光面に最も近い光学部材は光軸方向の位置決めのための脚部を有する撮像光学系と、を有する撮像装置において、
前記被写体光束を遮光するシャッタを備え、
該シャッタを駆動する駆動部は、像面に最も近い光学部材以外の光学部材の側面に配置されたことを特徴とする撮像装置。
【請求項３】
前記シャッタの羽根は軸支されるための穴部を有し、該穴部を中心に回動するよう構成され、前記穴部に嵌合する軸を前記光学部材に一体で形成したことを特徴とする請求項１又は２に記載の撮像装置。
【請求項４】
前記シャッタの羽根は１枚の板状部材で形成されていることを特徴とする請求項１〜３のいずれか１項に記載の撮像装置。
【請求項５】
前記撮像素子は、前記基板に所謂フリップチップ実装法で実装されていることを特徴とする請求項１〜４のいずれか１項に記載の撮像装置。
【請求項６】
請求項１〜５のいずれか１項に記載の撮像装置をケース内に内蔵したことを特徴とする携帯端末。
【発明の詳細な説明】
【０００１】
【発明の属する技術分野】
本発明は、携帯電話機やモバイルコンピュータなどの携帯端末に内蔵される撮像装置及びこれを備えた携帯端末に関するものである。
【０００２】
【従来の技術】
近年、小型で薄型の撮像装置が携帯電話機やパーソナルコンピュータ等の小型、薄型の電子機器に搭載されるようになった。かかる撮像装置には、基板に設けられた撮像素子と、この撮像素子の受光面に被写体光を導き結像させるための撮像光学系が一体化されているものが一般的である。
【０００３】
また撮像素子としては、ＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等の固体撮像素子が使用されている。
【０００４】
これらに用いられる撮像素子は、プログレッシブスキャン方式の撮像素子であり、機械的に光を遮断するシャッタを必要としないものであった。
【０００５】
この様な携帯端末用の撮像装置として、開口部を有した基板の一方の面にその開口部を閉塞するように所謂フリップチップ実装法で撮像素子を接続し、基板の他方の面から撮像光学系を装着したものがある（例えば、特許文献１参照）。
【０００６】
また撮像光学系を２枚以上の光学部材で構成し、最も像側の光学部材を脚部と一体に形成し、この脚部を撮像素子に当接することにより、光軸方向の位置決めを行う撮像装置がある（例えば、特許文献２参照）。
【０００７】
【特許文献１】
特開２００１−２９２３５４号公報
【０００８】
【特許文献２】
特開２００２−１３９６６２号公報
【０００９】
【発明が解決しようとする課題】
これら携帯端末用の撮像装置は民生用として普及するに伴い、デジタルカメラと同様に、より高画質化への要望が高まりつつある。このため、撮像装置を携帯端末内に内蔵可能な小型のサイズに保ちつつ撮像素子の高画素化が必須の条件となる。
【００１０】
この解決策として、撮像素子については所謂インターレース読み出し方式にして、転送ラインを減らし、このスペースを用いて同等の外形サイズと感度を維持したまま画素数を増加させたＣＣＤを使用することが考えられる。
【００１１】
このインターレース読み出し方式のＣＣＤの場合、光を遮光するシャッタが必要である。しかし、シャッタを組み込むには、その羽根の移動のためのスペース及び駆動部を配置するためのスペースを必要とし大型化する問題がある。
【００１２】
また、前述の公知文献はそれぞれ薄型化、撮像光学系の調整の簡素化に効果を奏するものではあるが、撮像素子の高画素化に対応したシャッタの搭載までには至っていない。
【００１３】
本発明は、上記問題に鑑み、薄型で調整が簡素化され、シャッタ及びその駆動部を内包しても大型化せず、且つ携帯端末に内蔵可能なサイズを保ちつつ高画素数の撮像素子を搭載した高画質の撮像装置及びこの撮像装置を備えた携帯端末を得ることを目的とするものである。
【００１４】
【課題を解決するための手段】
上記の目的は、
１）  基板と、該基板に実装された撮像素子と、該撮像素子の受光面に被写体光束を導き、光軸方向の位置決めのための脚部を有する光学部材で構成される撮像光学系と、を有する撮像装置において、前記被写体光束を遮光するシャッタを備え該シャッタを駆動する駆動部の少なくとも一部が、前記光学部材の脚部の間に配置されたことを特徴とする撮像装置、とすることで達成される。
【００１５】
これにより、シャッタを駆動するアクチュエータを光学部材の脚部の間に配置することにより、光軸方向の位置決めを妨げることなくシャッタ駆動部を組み込め、更に、撮像装置の体積の増加を最少におさえ、携帯端末に内蔵可能なサイズに保つことが可能となる。
【００１６】
２）  基板と、該基板に実装された撮像素子と、該撮像素子の受光面に被写体光束を導く複数の光学部材で構成され、該光学部材のうち少なくとも前記受光面に最も近い光学部材は光軸方向の位置決めのための脚部を有する撮像光学系と、を有する撮像装置において、前記被写体光束を遮光するシャッタを備え、該シャッタを駆動する駆動部は、像面に最も近い光学部材以外の光学部材の側面に配置されたことを特徴とする撮像装置、とすることで達成される。
【００１７】
これにより、複数の光学部材で携帯端末用の撮像光学系を構成する場合、テレセントリック特性を確保するため像面に最も近い光学部材の径が大きく、これに比べ被写体側の光学部材の径が小径となり、この小径の光学部材の側面にシャッタを駆動するアクチュエータを配置することにより、撮像装置の体積の増加を最少におさえ、携帯端末に内蔵可能なサイズに保つことが可能となる。
【００１８】
３）  前記シャッタの羽根は軸支されるための穴部を有し、該穴部を中心に回動するよう構成され、前記穴部に嵌合する軸を前記光学部材に一体で形成した１）又は２）の撮像装置、とすることが望ましい。
【００１９】
４）  前記シャッタの羽根は１枚の板状部材で形成されている１）〜３）のいずれかの撮像装置、とすることが望ましい。
【００２０】
この３）及び／又は４）により、コストの増加を最少に抑えることができる。
５）  前記撮像素子は、前記基板に所謂フリップチップ実装法で実装されている１）〜４）のいずれかの撮像装置、とすることが望ましく撮像装置の厚みを薄く保つことができる。
【００２１】
６）  １）〜５）のいずれかの撮像装置をケース内に内蔵した携帯端末、とすることで高画素数による高画質の画像の得られる撮像装置を搭載した携帯端末を得ることができる。
【００２２】
【発明の実施の形態】
以下、実施の形態により本発明を詳しく説明するが、本発明はこれに限定されるものではない。
【００２３】
図１は、本発明の撮像装置を内蔵した携帯端末の一例である携帯電話機Ｔの外観を示す図である。
【００２４】
図１に示す携帯電話機Ｔは、表示画面Ｄを備えたケースとしての上筐体７１と、操作ボタンＰを備えた下筐体７２とがヒンジ７３を介して連結されている。撮像装置１００は、上筐体７１内の表示画面Ｄの下方に内蔵されており、撮像装置１００の光学部材が上筐体７１の外表面側から光を取り込めるよう配置されている。なお、この撮像装置の位置は上筐体７１内の表示画面Ｄの上方でもよいし、携帯電話機は折りたたみ式に限るものではない。
【００２５】
（第一の実施の形態）
本発明の撮像装置の第一の実施の形態について以下に説明する。
【００２６】
図２は、第一の実施の形態における撮像装置１００の斜視図である。図２（ａ）は撮像装置を表面である光入射側から見た斜視図であり、図２（ｂ）は裏面である撮像素子側から見た斜視図である。
【００２７】
図２に示すように、撮像装置１００の表面はフレキシブルプリント基板ＦＰＣと、このフレキシブルプリント基板ＦＰＣに光入射のための開口部を有する遮光板５と光学部材及びシャッタ等を内包する外枠部材４で構成されている。撮像装置１００の裏面はフレキシブルプリント基板ＦＰＣの他方の面に撮像素子２が電気的接続されると共に取り付けられ、構成されている。
【００２８】
また、フレキシブルプリント基板ＦＰＣには、撮像素子２を駆動したりシャッタを作動させるアクチュエータの駆動のための電子回路部品８ａ〜８ｄ及び９等が実装され、端部には制御基板等との接続用の接続端子部１５が設けられている。
【００２９】
図３は、撮像装置１００のフレキシブルプリント基板ＦＰＣの一部省略正面図である。図３は、撮像素子２（図２参照）が取り付けられる面側から見た図である。フレキシブルプリント基板ＦＰＣは、撮像素子が取り付けられる面側にパターン面を有している。
【００３０】
図３に示すように、このフレキシブルプリント基板ＦＰＣには開口部１０が形成されている。また開口部１０の４隅には切り欠き部１１が形成され発熱による変形や撓みから電気的接続の信頼性を確保するようになっている。この４隅の切り欠き部１１以外の内縁部に、撮像素子の入出力端子に対応した位置に電気的接続のためのボンディングパッドＢＰが配置されている。このボンディングパッドＢＰは、例えば銅、ニッケル、金、パラジウムやこれらの合金単体、或いはそれら金属を積層したものにより構成される。
【００３１】
この開口部１０は、２ａで示す撮像素子の入射光を電気信号に変換する光電変換部が相当する範囲より大きく形成される。なお同図において、２ｂで示す矩形部は撮像素子２が取り付けられた時の撮像素子の外形位置を示している。また撮像素子外形２ｂの内側で、４箇所の切り欠き部１１の内側の１ｄは、後述の光学部材の当接位置を示している。
【００３２】
図４は、撮像装置に内包された光学部材１の斜視図である。
同図に示すように光学部材１は透明なプラスチック材料を素材とし、光学有効面１ａ、固定絞り板の受け面１ｂ、リング状のフランジ部１ｅと、このフランジ部から４箇所の光軸方向位置決め用の脚部１ｄが形成されている。この４箇所の脚部１ｄが、図３に示す切り欠き部１１内の１ｄの位置で撮像素子に当接し、光電変換部と光学部材との間隔をばらつき無く設定することができるようになっている。
【００３３】
また、この光学部材１には、リング状のフランジ部１ｅの周上に凹部１ｇとボス１ｈ及びボス１ｈの周囲に台座１ｊとが一体に形成されている。
【００３４】
図５は、本発明の撮像装置１００の撮像部を図２に示すＦ−Ｏ−Ｇ線で切断した一部省略断面図である。この切断線は、図４のボス１ｊ−光学部材１の中心−凹部１ｇを通る線である。
【００３５】
同図に示すように、フレキシブルプリント基板ＦＰＣ、撮像素子２、外枠部材４、遮光板５に加え、光学部材１、絞り板３、光学部材１を撮像素子２の方向へ押圧する弾性部材（図示せず）、赤外カットフィルタ６、シャッタ羽根２４、ロータ２０とステータ２１、２２で構成されるステッピングモータ、ロータ２０と同軸に圧入されたピニオンギア２３で構成されている。
【００３６】
同図において、撮像素子２は例えばインターレース読み出し方式のＣＣＤ型イメージセンサ等からなり、フレキシブルプリント基板ＦＰＣの開口部から撮像素子２の光電変換部２ａが露出するように取り付けられる。またボンディングパッドＢＰ（図３参照）と、撮像素子２の電極パッドに形成された突起電極（バンプ）１３によりフリップチップ実装で接合される。この接合方法としては、例えば超音波溶着の他、ＡＣＦ（異方性導電性フィルム）、ＡＣＰ（異方性導電性ペースト）を用いた圧着等の方法がある。
【００３７】
フレキシブルプリント基板ＦＰＣの他方の面には外枠部材４が取り付けられ、その外周部は例えば紫外線硬化型の接着剤Ｂにより固着される。外枠部材４の固着後、ステッピングモータを構成するピニオンギア２３が同軸に圧入されたロータ２０とステータ２１、２２が組み込まれ、光学部材１が組み込まれる。この光学部材１には、開口部３ａを有する絞り板３が取り付けられている。
【００３８】
図示のように、シャッタの駆動部であるステッピングモータを構成するロータ２０とステータ２１、２２は光学部材１の脚部１ｄ近傍に組み込まれ、更に後述のように脚部１ｄの間に配置される。
【００３９】
この後、光学部材１に形成されているボス１ｈにシャッタ羽根２４が組み付けられる。このシャッタ羽根２４はカーボン入りの遮光性を有するポリエステルフィルム等の材料若しくは金属の板材で形成されている。更に、赤外カットフィルタ６の組み付けられた遮光板５が外枠部材４に接着されて撮像装置１００が完成する。
【００４０】
図６は、図５に示すＮ−Ｎ線で切断した一部省略断面図である。同図は遮光板５側から見た、外枠部材４と光学部材１とシャッタ羽根２４とピニオンギア２３の位置関係を示している。
【００４１】
同図に示すように、シャッタ羽根２４は穴２４ｈを有し、この穴２４ｈを光学部材１のボス１ｈに回動可能に嵌合させると共に、シャッタ羽根２４に形成した歯車部２４ｇとピニオンギア２３を噛み合わせて組み立てられる。このため図５のステッピングモータのロータ２０の正逆回転により同軸のピニオンギア２３も正逆回転し、これと噛み合うシャッタ羽根２４は穴２４ｈを中心に回動させられる。このため実線で示すシャッタ羽根２４は、開口部３ａから退避した露光前の状態と、一点鎖線で示す開口部３ａを遮蔽、即ち被写体光を遮光した露光後の状態が作り出され、シャッタ機能を有するようになる。
【００４２】
なお光学部材１を撮像素子へ押圧する弾性部材は、このシャッタ羽根２４と干渉しないよう、例えばハッチングで示す３箇所に圧縮コイルバネを配置し、遮光板と光学部材とで挟み込むことが望ましい。
【００４３】
図７は、図５に示すＭ−Ｍ線で切断した一部省略断面図である。同図は遮光板５側から見た、外枠部材４と光学部材１の脚部１ｄとステッピングモータを構成するロータ２０とステータ２１、２２の位置関係を示している。
【００４４】
同図において、２ａは撮像素子の光電変換部である。破線で示した円は上部に位置する光学部材１の外形を示しており、この光学部材１に形成された脚部１ｄが４箇所で撮像素子と当接している。この脚部１ｄの間で光学部材１の下方にかつ受光面２ａへの光束と干渉しない位置に、永久磁石を有するロータ２０と、このロータ２０の周面と対向するステータ２１、２２と通電時にステータ２１、２２に磁極を生じさせるコイル２５が配置され、このコイル２５は、図示しないがフレキシブルプリント基板ＦＰＣの電子回路に接続されている。
【００４５】
このコイル２５への通電を制御することにより、ロータ２０の回転を正逆回転可能とすることができ、ロータ２０と同軸のピニオンギア２３に噛み合うシャッタ羽根２４（図６参照）の開閉がおこなわれる。
【００４６】
例えば、インターレース読み出し方式のＣＣＤ型イメージセンサの場合、電子シャッタにより電荷の蓄積を開始し、適正な電荷蓄積がなされ、転送をおこなう前に図示しない制御基板からの閉じ信号によりシャッタ閉じ動作をおこなうように制御される。
【００４７】
また、非常に短い露光時間で電荷蓄積動作が終了するような高輝度の場合は、蓄積動作開始前或いは、開始と同時に閉じ信号が発せられシャッタ閉じ動作をおこなうよう制御される。これは、閉じ信号が発せられてから実際に機械的な閉じ動作がおこなわれるまでには、機械的な遅れが生じるためである。
【００４８】
このように、シャッタを駆動する駆動部の少なくとも一部を、光学部材の脚部の間に配置し、スペースを活用した撮像装置とすることにより、撮像装置を大型化することなくシャッタを内蔵することが可能となる。また光学部材にシャッタ羽根を軸支するボスを形成し、このボスを中心にして一枚のシャッタ羽根を回動させることにより光路を開閉するため部品点数の増加を最少に抑えることができ、ひいてはコストアップを最少に抑えることができる。
【００４９】
（第二の実施の形態）
本発明の撮像装置の第二の実施の形態について以下に説明する。
【００５０】
図８は、第二の実施の形態における撮像装置１００の斜視図である。図８（ａ）は撮像装置を表面である光入射側から見た斜視図であり、図８（ｂ）は裏面である撮像素子側から見た斜視図である。
【００５１】
同図は、図２と同様に、撮像装置１００の表面外観はフレキシブルプリント基板ＦＰＣと、このフレキシブルプリント基板ＦＰＣに光入射のための開口部を有する遮光板５と光学部材及びシャッタ等を内包する外枠部材４で構成されている。撮像装置１００の裏面はフレキシブルプリント基板ＦＰＣの他方の面に撮像素子２が電気的接続されると共に取り付けられ、構成されている。
【００５２】
また、フレキシブルプリント基板ＦＰＣには、撮像素子２を駆動したりシャッタを作動させるアクチュエータの駆動のための電子回路部品８ａ〜８ｄ及び９等が実装され、端部には制御基板等との接続用の接続端子部１５が設けられている。
【００５３】
図９は、本発明の第二の実施の形態に係る撮像装置１００の撮像部を図８に示すＦ−Ｆ線で切断した一部省略断面図である。同図を用い、図５と同機能部材には同符号を付与して説明する。
【００５４】
同図に示すように、撮像装置１００は、フレキシブルプリント基板ＦＰＣ、撮像素子２、外枠部材４、遮光板５、赤外カットフィルタ６で構成される。撮像素子２はフレキシブルプリント基板ＦＰＣの開口部から撮像素子２の光電変換部２ａが露出するように取り付けられ、またボンディングパッドＢＰ（図３参照）と、撮像素子２の電極パッドに形成された突起電極（バンプ）１３によりフリップチップ実装で接合されている。撮像素子２は例えばインターレース読み出し方式のＣＣＤ型イメージセンサ等が使用される。
【００５５】
外枠部材４の内部には、撮像素子２側から光学部材３１、３２、３３、３４がそれぞれ当接してその間隔が一定に保たれるよう構成されている（光学部材３４のみ当接部不図示）。光学部材の間には絞り部材３１ｓ、３２ｓ、３４ｓが配置され、不要光の除去をおこなっている。また絞り部材３３ｓは、開放Ｆ値を決定している絞り部材である。光学部材３１には、脚部３１ｄが４箇所に形成され、光学部材３４が弾性部材７により押圧されることで光学部材３１の脚部３１ｄが撮像素子２に当接し、光電変換部２ａとの間隔を保証している。
【００５６】
また光学部材３３に形成されているボス３３ｈには、シャッタ羽根２４が組み付けられている。さらに光学部材３１のフランジ部の遮光板５側で、光学部材３２〜３４の側面の空間にロータ２０と同軸に圧入されたピニオンギア２３が配置される。
【００５７】
以上が第二の実施の形態における撮像装置１００の撮像部の断面構成である。
図１０は、光学部材３３の斜視図である。光学部材３３は、その円周の一部に凸部３３ｔを有し、この凸部３３ｔにはボス３３ｈが形成されている。
【００５８】
図１１は、第二の実施の形態における撮像装置１００の撮像部のシャッタ羽根周辺の配置を示した図である。
【００５９】
同図に示すように、光学部材３３に形成されたボス３３ｈと、シャッタ羽根２４に形成された穴部２４ｈが回動可能に嵌合され、シャッタ羽根２４に形成された歯車部２４ｇはピニオンギア２３と噛み合うよう組み立てられている。
【００６０】
また、永久磁石を有するロータと、このロータの周面と対向するステータ４１、４２と通電時にステータ４１、４２に磁極を生じさせるコイル４４、４５がさらに光学部材３１のフランジ部の上方で、像面に最も近い光学部材３１以外の光学部材３２〜３４の側面の空間に配置される。なお図示しないがコイル４４、４５はフレキシブルプリント基板ＦＰＣの電子回路に接続されている。
【００６１】
このためステッピングモータのロータの正逆回転により同軸のピニオンギア２３も正逆回転し、これと噛み合うシャッタ羽根２４は穴２４ｈを中心に回動させられる。このため実線で示すシャッタ羽根２４は、開口部３３ａから退避した露光前の状態と、一点鎖線で示す開口部３３ａを遮蔽、即ち被写体光を遮光した露光後の状態が作り出され、シャッタ機能を有するようになる。
【００６２】
例えば、インターレース読み出し方式のＣＣＤ型イメージセンサの場合、電子シャッタにより電荷の蓄積を開始し、適正な電荷蓄積がなされ、転送をおこなう前に図示しない制御基板からの閉じ信号によりシャッタ閉じ動作をおこなうように制御される。
【００６３】
また、非常に短い露光時間で電荷蓄積動作が終了するような高輝度の場合は、蓄積動作開始前或いは、開始と同時に閉じ信号が発せられシャッタ閉じ動作をおこなうよう制御される。これは、閉じ信号が発せられてから実際に機械的な閉じ動作がおこなわれるまでには、機械的な遅れが生じるためである。
【００６４】
なお、光学部材３３の円周上にハッチングで示した３箇所は、光学部材３４が当接する部位であり、このようにシャッタ羽根２４の動作範囲と干渉しない位置に当接部が配置される。
【００６５】
このように、複数の光学素子で携帯端末用の撮像光学系を構成されている場合には、シャッタを駆動する駆動部は、像面に最も近い光学部材以外の光学部材の側面に配置することにより、撮像装置の体積の増加を最少におさえ、携帯端末に内蔵可能なサイズに保つことが可能となる。
【００６６】
また光学部材にシャッタ羽根を軸支するボスを形成し、一枚のシャッタ羽根により光路を開閉するため部品点数の増加を最少に抑えることができ、ひいてはコストアップを最少に抑えることができる。
【００６７】
なお前述の第一の実施の形態及び第二の実施の形態のシャッタは、図示していない制御基板からの制御信号をうけ、アクチュエータを駆動する電子部品を通して駆動されるものとして説明したが、シャッタ制御のための制御回路もフレキシブルプリント基板ＦＰＣ側に実装してもよい。
【００６８】
また前述の第一の実施の形態及び第二の実施の形態ではシャッタ羽根を１枚で構成した例で説明したが、複数枚で構成することも本発明を逸脱するものでない。また、シャッタを駆動する駆動部はステッピングモータで説明したが、これに限るものでなく公知のアクチュエータ、例えばソレノイドやＤＣモータ等で構成することも本発明を逸脱するものでないのは勿論である。
【００６９】
【発明の効果】
以上説明したように、薄型で調整が簡素化され、シャッタ及びその駆動部を内包しても大型化せず、且つ携帯端末に内蔵可能なサイズを保ちつつ高画素数の撮像素子を搭載した高画質の撮像装置及びこの撮像装置を備えた携帯端末を得ることができるようになった。
【図面の簡単な説明】
【図１】本発明の撮像装置を内蔵した携帯端末の一例である携帯電話機の外観を示す図である。
【図２】第一の実施の形態における撮像装置の斜視図である。
【図３】撮像装置のフレキシブルプリント基板の一部省略正面図である。
【図４】撮像装置に内包された光学部材１の斜視図である。
【図５】本発明の撮像装置の撮像部を図２に示すＦ−Ｏ−Ｇ線で切断した一部省略断面図である。
【図６】図５に示すＮ−Ｎ線で切断した一部省略断面図である。
【図７】図５に示すＭ−Ｍ線で切断した一部省略断面図である。
【図８】第二の実施の形態における撮像装置の斜視図である。
【図９】本発明の第二の実施の形態に係る撮像装置の撮像部を図８に示すＦ−Ｆ線で切断した一部省略断面図である。
【図１０】光学部材３３の斜視図である。
【図１１】第二の実施の形態における撮像装置の撮像部のシャッタ羽根周辺の配置を示した図である。
【符号の説明】
１  光学部材
２  撮像素子
３  絞り板
４  外枠部材
５  遮光板
６  赤外カットフィルタ
２０  ロータ
２１  ステータ
２２  ステータ
２３  ピニオンギア
２４  シャッタ羽根
【図１】
2004309954.tif 000003
【図２】
2004309954.tif 000004
【図３】
2004309954.tif 000005
【図４】
2004309954.tif 000006
【図５】
2004309954.tif 000007
【図６】
2004309954.tif 000008
【図７】
2004309954.tif 000009
【図８】
2004309954.tif 000010
【図９】
2004309954.tif 000011
【図１０】
2004309954.tif 000012
【図１１】
2004309954.tif 000013